(57)【要約】本発明は、次のような基本アイデアに基づく。すなわち、非常に多くの適用事例において、意図された通信パートナーは、ユーザによって容易に制御される例えばその位置又は他の特性によって、コネクション形成を探している第１の無線局（ＦＳ１）とユーザとの間のコンタクトレスインターフェース（つまり、例えば無線チャネル）の伝送特性が他の全ての潜在的な通信パートナーによっては満たされない所定の品質規準を満たすという点で他の全ての潜在的かつ意図しない通信パートナー（第三者）から区別され、又は、伝送特性におけるこのような区別は少なくとも第１の無線局（ＦＳ１）の少なくとも１つの動作パラメータの変更によって引き起こされる。
2005530435.tif 000002
【特許請求の範囲】
【請求項１】
無線局の間のワイヤレス通信のための方法であって、該方法では全くの両方向性通信コネクション（Ｃｏｎ）又は全くの両方向性通信関係（Ｒｅｌ）が第１の無線局（ＦＳ１）と複数の第２の無線局のグループ（ＦＳ２ａ、ＦＳ２ｂ、・・・ＦＳ２ｋ）のうちのただ一つの第２の無線局（ＦＳ２）との間で形成される、無線局の間のワイヤレス通信のための方法において、
第１の無線局（ＦＳ１）の１つの動作パラメータ又は複数の動作パラメータが無線局間の伝送特性を制御する目的で変更され、少なくとも１つの動作パラメータの変更の結果として第１の無線局（ＦＳ１）とただ一つの第２の無線局（ＦＳ２）とのただ一つの無線コネクションの伝送特性が所定の品質規準を満たすことを特徴とする、無線局の間のワイヤレス通信のための方法。
【請求項２】
変更すべき動作パラメータは第１の無線局（ＦＳ１）の送信電力である、請求項１記載の方法。
【請求項３】
変更すべき動作パラメータは第１の無線局（ＦＳ１）の受信感度である、請求項１又は２記載の方法。
【請求項４】
品質規準は第１の無線局（ＦＳ１）における最小受信電界強度を上回ることである、請求項１〜３のうちの１項記載の方法。
【請求項５】
第１の無線局（ＦＳ１）の１つ又は複数の動作パラメータはまず最初に複数の第２の無線局が品質規準を満たすように選択され、
さらに、前記１つ又は複数の動作パラメータは段階的に変更されて、最終的にただ一つの第２の無線局（ＦＳ２）が品質規準を満たす、請求項１〜４のうちの１項記載の方法。
【請求項６】
無線モジュールを有するサービスターミナル（ＳＴ）とりわけレジシステムと、無線モジュール（ＷＭ）とりわけ移動電話（ＭＰ）又はいわゆるパーソナルデジタルアシスタント（ＰＤＡ）のような情報技術機器（ＩＴＤ）を有するカスタマーデバイス（ＣＤ）との間の通信コネクション（Ｃｏｎ）の形成のための請求項１〜５のうちの１項記載の方法の使用法であって、
全ての考慮の対象となる無線局及びカスタマーデバイスの中でサービスターミナルまでの最小の空間的間隔を有するカスタマーデバイスとサービスターミナルとの通信コネクションが形成されることになる、請求項１〜５のうちの１項記載の方法の使用法。
【請求項７】
ａ）サービスターミナル（ＳＴ）にはまず最初にカスタマーデバイス（ＣＤ）のいかなる種類のアドレス又は識別子も既知ではなく、
ｂ）前記カスタマーデバイス（ＣＤ）にはまず最初にサービスターミナル（ＳＴ）のいかなる種類のアドレス又は識別子も既知ではなく、
ｃ）このようなアドレス又は識別子はこれら２つの装置間の通信の継続中においても外部から入力されない、請求項６記載の使用法。
【請求項８】
ａ）少なくとも潜在的に、複数の又は変化する加入者局（ＳＭ１、ＳＭ２、・・・ＳＭｎ）、とりわけＤＥＣＴ標準によるコードレス電話システムを有するセルラー又はその他のワイヤレス通信システムの基地局（ＢＳ）と、
ｂ）このようなワイヤレス通信システムの加入者局（ＳＭ）、とりわけ移動電話（ＭＰ）、コードレス電話（ＣＬＰ）又はいわゆるパーソナルデジタルアシスタント（ＰＤＡ）のような情報技術機器（ＩＴＤ）との間の通信関係（Ｒｅｌ）及び／又は通信コネクション（Ｃｏｎ）の形成のための請求項１〜５のうちの方法の使用法であって、
全ての考慮の対象となる加入者局の中で前記基地局までの最小の空間的間隔を有する加入者局と前記基地局との通信関係及び／又は通信コネクションが形成されることになる、請求項１〜５のうちの方法の使用法。
【請求項９】
ａ）基地局（ＢＳ）にはまず最初に加入者局（ＳＭ）のいかなる種類のアドレス又は識別子も既知ではなく、
ｂ）前記加入者局（ＳＭ）にはまず最初に前記基地局（ＢＳ）のいかなる種類のアドレス又は識別子も既知ではなく、
ｃ）このようなアドレス又は識別子はこれら２つの装置間の通信の継続中においても外部から入力されない、請求項８記載の使用法。
【請求項１０】
参加する無線局のうちの少なくとも１つの無線局は信号を送信し、この信号はそれぞれの無線局又はそのユーザに関する情報を含む、請求項１〜９のうちの１項記載の方法。
【請求項１１】
第１の無線局は応答の送信の要求を送出し、この場合使用される送信信号の到達範囲は唯一の第２の無線局の応答だけが受信されるまでに低減され、従って、唯一の第２の無線局だけが第１の無線局の送信領域に存在しうることが保証される、請求項１〜１０のうちの１項記載の方法。
【請求項１２】
到達範囲は送信電力を絞ることによって低減される、請求項１１記載の方法。
【請求項１３】
到達範囲は遮蔽によって、とりわけ機械的なプラグイン装置によって低減される、請求項１１記載の方法。
【請求項１４】
請求項１〜１３のうちの１項記載の方法を実施するための装置において、
ａ）電磁信号を送信及び受信するための無線モジュールを有し、
ｂ）該無線モジュールの少なくとも１つの動作パラメータを制御するための装置を有し、前記少なくとも１つの動作パラメータは、該少なくとも１つの動作パラメータの変更の結果として第１の無線局（ＦＳ１）とただ一つの第２の無線局（ＦＳ２）とのただ一つの無線コネクションの伝送特性が所定の品質規準を満たすように無線コネクションの伝送特性を制御することができる、請求項１〜１３のうちの１項記載の方法を実施するための装置。
【発明の詳細な説明】
【技術分野】
【０００１】
現代の通信端末はその小さな寸法のために、端末の中に使用されるプロセッサ及びメモリ構成素子の同時に高い性能により第１にそのメインアプリケーションである遠隔通信と関係を必ずしも持つわけではない非常に多岐にわたるモバイルアプリケーションに適している。このようなアプリケーションには、とりわけ、いわゆる「ＰＯＳ（point-of-sale）アプリケーション」すなわち機器が実質的に電子的な支払い手段の機能を果たすアプリケーション又は機器が識別又は認証手段として使用されるセキュリティアプリケーションも属している。結局、ＰＯＳアプリケーションは、たとえ他の実施形態によっても、セキュリティアプリケーションの特殊ケースに過ぎない。なぜなら、電子支払いプロセスでは少なくとも支払い受信器、通常は支払う側の加入者がその都度他の加入者のアイデンティティ及び権限を検査する必要を有するからである。
【０００２】
例えばいわゆる遠隔通信モジュールを有する又は遠隔通信モジュールを持たないパーソナルデジタルアシスタント（ＰＤＡ）のような他の小型機器もデータ伝送のための適当なインターフェースを自由に使用できるならば原理的にはこのようなアプリケーションに良く適している。このようなインターフェースは原理的には以前から周知である。例えば”Ｂｌｕｅｔｏｏｔｈ”標準による赤外線インターフェース又は短い到達範囲の無線インターフェースがその例である。
【０００３】
短い到達範囲のコンタクトレス（「ワイヤレス」）データ伝送インターフェースはローカル通信に特に適している。この短い到達範囲のコンタクトレス（「ワイヤレス」）データ伝送インターフェースはこれらのアプリケーションにおいて次のような利点を有する。すなわち、可能な通信パートナーのグループが最初から比較的近くの、しばしばすぐに見渡せる周囲に限定されているのである。よって、今日すでにＰＤＡ間では、これらのＰＤＡが直に空間的な近傍にやってくることによって及び／又はそれらの赤外線インターフェースが互いに向かい合うことによって「電子名刺」又は他のデータの伝送のための一時的なコネクションが形成される。よって、所望の通信パートナーが実際に通信が成立する相手であることは、ある程度、多くのアプリケーションにとっては十分に、確信できるのである。
【０００４】
セキュリティへのより高い要求を有するアプリケーションの場合には、これらの公知の方法はしばしば十分ではない。見えない又は気づかれない「第三者」が意図的な全くの両方向性通信関係に（最初は）こっそりと侵入し、続いて所望の通信パートナーと同一ではない通信パートナーとデータが交換されてしまう危険性があまりにも大きい。ここで本発明は対策を講じなければならない。
【０００５】
上記課題は、無線局間のワイヤレス通信のための方法であって、方法では全くの両方向性通信コネクション又は全くの両方向性通信関係が第１の無線局と複数の第２の無線局のグループのうちのただ一つの第２の無線局との間で形成される、無線局の間のワイヤレス通信のための方法において、
第１の無線局の１つの動作パラメータ又は複数の動作パラメータが無線局間の伝送特性を制御する目的で変更され、少なくとも１つの動作パラメータの変更の結果として第１の無線局とただ一つの第２の無線局とのただ一つの無線コネクションの伝送特性が所定の品質規準を満たすことによって解決され、
さらに、上記課題は、上記方法を実施するための装置において、
ａ）電磁信号を送信及び受信するための無線モジュールを有し、
ｂ）無線モジュールの少なくとも１つの動作パラメータを制御するための装置を有し、少なくとも１つの動作パラメータは、少なくとも１つの動作パラメータの変更の結果として第１の無線局とただ一つの第２の無線局とのただ一つの無線コネクションの伝送特性が所定の品質規準を満たすように無線コネクションの伝送特性を制御することができることによって解決される。
【０００６】
本発明の方法の有利な実施形態によれば、変更すべき動作パラメータは第１の無線局の送信電力である。
【０００７】
本発明の方法の有利な実施形態によれば、変更すべき動作パラメータは第１の無線局の受信感度である。
【０００８】
本発明の方法の有利な実施形態によれば、品質規準は第１の無線局における最小受信電界強度を上回ることである。
【０００９】
本発明の方法の有利な実施形態によれば、第１の無線局の１つ又は複数の動作パラメータはまず最初に複数の第２の無線局が品質規準を満たすように選択され、さらに、１つ又は複数の動作パラメータは段階的に変更されて、最終的にただ一つの第２の無線局が品質規準を満たす。
【００１０】
本発明の有利な実施形態によれば、無線モジュールを有するサービスターミナルとりわけレジシステムと、無線モジュールとりわけ移動電話又はいわゆるパーソナルデジタルアシスタントのような情報技術機器を有するカスタマーデバイスとの間の通信コネクションの形成のための本発明の方法の使用法において、全ての考慮の対象となる無線局及びカスタマーデバイスの中でサービスターミナルまでの最小の空間的間隔を有するカスタマーデバイスとサービスターミナルとの通信コネクションが形成される。
【００１１】
本発明の有利な実施形態によれば、上記使用法において、ａ）サービスターミナルにはまず最初にカスタマーデバイスのいかなる種類のアドレス又は識別子も既知ではなく、ｂ）カスタマーデバイスにはまず最初にサービスターミナルのいかなる種類のアドレス又は識別子も既知ではなく、ｃ）このようなアドレス又は識別子はこれら２つの装置間の通信の継続中においても外部から入力されない。
【００１２】
本発明の有利な実施形態によれば、ａ）少なくとも潜在的に、複数の又は変化する加入者局、とりわけＤＥＣＴ標準によるコードレス電話システムを有するセルラー又はその他のワイヤレス通信システムの基地局と、ｂ）このようなワイヤレス通信システムの加入者局とりわけ移動電話、コードレス電話又はいわゆるパーソナルデジタルアシスタントのような情報技術機器との間の通信関係及び／又は通信コネクションの形成のための本発明の方法の使用法において、全ての考慮の対象となる加入者局の中で基地局までの最小の空間的間隔を有する加入者局と基地局との通信関係及び／又は通信コネクションが形成される。
【００１３】
本発明の有利な実施形態によれば、上記使用法において、ａ）基地局にはまず最初に加入者局のいかなる種類のアドレス又は識別子も既知ではなく、ｂ）加入者局にはまず最初に基地局のいかなる種類のアドレス又は識別子も既知ではなく、ｃ）このようなアドレス又は識別子はこれら２つの装置間の通信の継続中においても外部から入力されない。
【００１４】
本発明の方法の有利な実施形態によれば、参加する無線局のうちの少なくとも１つの無線局は信号を送信し、この信号はそれぞれの無線局又はそのユーザに関する情報を含む。
【００１５】
本発明の方法の有利な実施形態によれば、第１の無線局は応答の送信の要求を送出し、この場合使用される送信信号の到達範囲は唯一の第２の無線局の応答だけが受信されるまでに低減され、従って、唯一の第２の無線局だけが第１の無線局の送信領域に存在しうることが保証される。
【００１６】
本発明の方法の有利な実施形態によれば、到達範囲は送信電力を絞ることによって低減される。
【００１７】
本発明の方法の有利な実施形態によれば、到達範囲は遮蔽によって、とりわけ機械的なプラグイン装置によって低減される。
【００１８】
次に本発明を実施例及び図面によって記述する。
【００１９】
この場合、図１は概略的に典型的なアプリケーション状況及び本発明によるその解決策を示す。
【００２０】
図２は概略的に最初から第２の無線局だけが第１の無線局の周辺に存在する特殊ケースの処理を示す。
【００２１】
本発明は、次のような基本アイデアに基づく。すなわち、非常に多くの適用事例において、意図された通信パートナーは、例えばユーザによって容易に制御されうるその位置又は他の特性によって、ユーザとコネクション形成を探している第１の無線局（ＦＳ１）との間のコンタクトレスインターフェース（つまり、例えば無線チャネル）の伝送特性が他のあらゆる可能な通信パートナーによっては満たされない所定の品質規準を満たすという点で他のあらゆる可能なかつ意図しない通信パートナー（第三者）から区別され、あるいは、このような区別は伝送特性において少なくとも第１の無線局（ＦＳ１）の少なくとも１つの動作パラメータの変更によって引き起こされる。
【００２２】
このような状況の単純かつ典型的な例が図１に図示されている。１つの第２の無線局とのコネクションを形成しなければならない第１の無線局（ＦＳ１）の周囲には、複数の第２の無線局（ＦＳ２ａ、・・・、ＦＳ２ｄ）が存在する。この第１の無線局は例えば百貨店のレジシステムである。第２の無線局（ＦＳ２ａ、・・・、ＦＳ２ｄ）としては移動電話又は他の小型機器が考えられ、これらの移動電話又は他の小型機器は全て原理的に第１の無線局（ＦＳ１）とコネクションを形成することができる。これらの第２の無線局は通常は異なる人物の所有であり、これらの人物は通常はこの百貨店の（潜在的な）顧客である。
【００２３】
これらの顧客のうちの一人はそこで自分が選んだ商品の代金を自分の第２の無線局（ＦＳ２ｂ）によって支払うためにレジシステムの無線局（ＦＳ１）に接近する。支払いプロセスの正確な実行のためには、支払いプロセスに正当に参加している人物の無線局（ＦＳ１及びＦＳ２ｂ）との間の全くの両方向性の通信関係又は通信コネクションが成立し、維持されることが非常に重要である。なぜなら、さもなければ容易に「第三者」の攻撃が可能だろうし、このようなコンタクトレス支払いプロセスのきちんとした実行は保証されないからである。
【００２４】
これは、無線局ＦＳ１が任意の顧客において最初にこの顧客の無線局ＦＳ２ｂをどうやって識別すべきかを「知らない」からである。それゆえ、例えば交換における払い戻しでもよいが、支払いプロセスを自分の無線局によってレジシステムが実行するように自分の無線局を操作することはどんな「第三者」にとっても比較的容易に可能である。
【００２５】
無線局ＦＳ２ｂは、図１に概略的に図示されているように、他の全ての無線局と比べてレジシステム（ＦＳ１）までの最も僅少な間隔を有するという点で際立っている。従って、最終的にこの１つの無線局ＦＳ２ｂとだけ通信コネクション又は通信関係が可能であるように無線局ＦＳ１の送信電力又は受信感度を変化させることが可能であるはずである。
【００２６】
これは例えばレジシステムの無線局ＦＳ１の送信電力又は受信感度をだんだん低下させることによって達成されうる。このために第１の無線局（ＦＳ１）は第１の呼信号又はコネクションリクエスト信号（ｃｒ１）を送信し、この信号の到達範囲は最初は比較的高い送信電力のために大きく、まず最初に図１に図示された４つの全ての第２の無線局がこの信号を受信できる。よって、この段階では４つの全ての第２の無線局がそれぞれ応答信号（ｒ２ａ、・・・、ｒ２ｄ）を送信し、この結果、最初の高い受信感度によって４つの全ての応答信号が第１の無線局ＦＳ１によって受信される。
【００２７】
次の段階では、第１の無線局ＦＳ１の送信電力が試みに低減される。もしくは、受信感度が低減される。両方のパラメータを同時に低下させることも可能であろう。
【００２８】
相応の動作パラメータの適当な選択によって遅くとも数個のこのようなステップの後では、４つの第２の無線局のうちの少なくとも１つがもはや応答しなくなるか又はその応答がもはや第１の無線局によって受信されなくなる。すなわち、コネクションリクエスト信号ｃｒ２が第２の無線局ＦＳ２ｃにもはや到達せずこれに応答しないまでに例えば送信電力が低減される。しかし、他の３つの第２の無線局（ＦＳ２ａ、ＦＳ２ｂ、ＦＳ２ｄ）はまだ応答する。というのも、これらの無線局は信号ｃｒ２を受信できたからである。ここで、次の段階において例えばＦＳ２ｂだけが応答するように第１の無線局ＦＳ１の送信電力がさらに低減されるか、又は、ＦＳ２ｂからの応答しか受信できないように受信感度が低下される。
【００２９】
送信電力はさらに低減され、この結果、第３のコネクションリクエスト信号ｃｒ３が第２の無線局ＦＳ２ａ、ＦＳ２ｃ、ＦＳ２ｄにもはや到達せず、第２の無線局ＦＳ２ｂに到達する。この場合、第２の無線局ＦＳ２ｂだけが応答ｒ２ｂを送信し、この応答ｒ２ｂは第１の無線局ＦＳ１によって受信されうる。
【００３０】
一般的に言えば、間隔特性又は伝播特性が個々の無線局の間で十分に異なっているような実際に全て状況において、第１の無線局ＦＳ１の適当な動作パラメータを調整し、最終的にただ１つの第２の無線局への通信関係又は通信コネクションだけを成立させ、維持されるようにすることが可能となる。
【００３１】
本願において幾つかの箇所で概念的に通信コネクションと通信関係とが区別される場合には、次のような理由がある。すなわち、概念「通信コネクション」はしばしば実際に有効データが伝送される状況に対して使用される。もう少しより一般的に考えられた概念「通信関係」は、本発明の目的の実現のためにしばしばこのような有効データ伝送が実際には必要ではないことを表している。少なからぬケースにおいて、例えば受信器の受信電界強度が最小値に到達するか又は最小値を上回ればもう十分である。これが唯一の第２の無線局ＦＳ２ｂにのみ成立すれば、たとえより狭い言葉の意味において通信コネクションがまだ存在せず成立していなくても、この１つの第２の無線局ＦＳ２ｂと第１の無線局ＦＳ１との間の全くの両方向性通信関係について語ることができる。それゆえ、これら２つの概念は本発明の記述のそれぞれの関連において、場合に応じて、一方の概念の代わりにその都度他方の概念もあり得るのだと理解してもらいたい。
【００３２】
本発明の方法は、例えば無線モジュールを有するレジシステム（ＳＴ）と、無線モジュール（ＷＭ）とりわけ移動電話（ＭＰ）を有するカスタマーデバイス（ＣＤ）との間の通信コネクションを形成するために使用される。売り場には一般的に例えばレジで列を作っているこのようなカスタマーデバイスを有する複数の人物が存在する。所定の支払いプロセスではレジシステムは専らレジまで最小の空間距離を有するカスタマーデバイスとコネクションを形成する。つまり、こうして実際に瞬時の支払う顧客のカスタマーデバイスが電子支払いプロセスに参加し、かつ、まだレジに列を作って待っているか又は売り場のどこかに留まっている他の顧客のデバイスは電子支払いプロセスに参加しないことがまったく容易に保証される。
【００３３】
本発明の方法の利点は、この場合、この参加するデバイスにはその都度他のデバイスのいかなる種類のアドレス又は識別子も知られる必要がないということである。このようなアドレス又は識別子によって当然（専ら）「正当な」デバイスが支払いプロセスに参加することも保証される。よって、例えばレジシステムのユーザは支払いプロセスに参加するカスタマーデバイスの、他のその場に居合わせている人々には知られていないデバイス識別子を例えば手動でレジシステムに入力することができる。これは当該適用事例においては当然面倒であるかもしれない。よって、これは本発明の方法の利点であるが、この面倒かつひょっとするとエラーしやすいプロシージャを省くことは可能である。
【００３４】
その代わりに、レジシステム又はより一般的にサービスターミナル（ＳＴ）は実際の参加するカスタマーデバイスに、これら２つ装置の間の通信関係が全くの両方向となるやいなや、このようなデバイスアドレス又はデバイス識別子を無線パス経由で直接伝達することができる。このような、できるならば一時的な、すなわち実行中の支払いプロセスに対してのみ有効なデバイスアドレスによって、通信は意図しない妨害又は第三者の攻撃に対して保護され、しかも最小空間間隔の基準がこのセキュリティの形成後にもはや満たされなくても、保護される。外部からのアドレス入力は、すなわち無線パスを介することとは異なり、本発明の方法では必要不可欠ではない。
【００３５】
よって、支払いプロセスに実際に参加する顧客は自分の移動電話又はその他のカスタマーデバイスを一度だけレジの近傍に持って行きさえすればよく、その後で、まだ支払いプロセスが続いている間でも、再びレジまでのより大きな間隔をとることができる。本発明のこの特性は支払いプロセスの実行中に参加している人物の快適な利便性を明らかに高める。
【００３６】
本発明の更なる有利なアプリケーションは、セルラー又はその他のワイヤレス通信システム、とりわけＤＥＣＴ標準によるコードレス電話システムの基地局（ＢＳ）における加入者局（ＳＭ）のログインに関して可能である。このようなシステムでは初回のスタートアップ又は付加的な例えば後で得られる加入者局の使用の際に、まだこのシステムにログインしていない加入者局がまず最初にログインされる。
【００３７】
これは、通常、認可されたユーザがまったく知らない無認可の第三者も同様にシステムにログインできてしまう危険が原理的に存在するログインプロシージャの枠内で行われる。というのも、基地局は、認可されたユーザの加入者局がどのようにして識別すべきかを「知らない」からである。しかし、一般的に、認可されたユーザにとっては、ログインプロシージャの実施のために基地局に接近すること、つまり基地局が収容されているスペースの中へと赴くことはとても容易であり、攻撃者のデバイスが認可されたユーザのデバイスよりも基地局に近づくことは事実上排除されうる。
【００３８】
よって、基地局は、ログインプロシージャの間に１つ以上のデバイスがその周囲に存在する場合には、例えばログインすべき加入者デバイスとの通信だけが可能になるまでその送信電力を低減しさえすればよい。この方法は、デバイスの相互識別がこのような識別情報の外部伝送なしにエアインターフェース（すなわち無線チャネル）を介して直接的に行われるという利点も有する。
【図面の簡単な説明】
【００３９】
【図１】概略的に典型的なアプリケーション状況及び本発明によるこの状況の解決策を示す。
【００４０】
【図２】概略的に予め第２の無線局だけが第１の無線局の周辺地域に存在する特殊ケースの処理を示す。
【符号の説明】
【００４１】
ＢＳ  基地局
ＳＭ  加入者局
ＳＴ  サービスターミナル
ＦＳ１  第１の無線局
ＦＳ２ａ、・・・、ＦＳ２ｄ  第２の無線局
ｃｒ１  コネクションリクエスト信号
ｃｒ２  コネクションリクエスト信号
ｒ２ａ、・・・、ｒ２ｄ  応答信号
ＣＤ  カスタマーデバイス
ＭＰ  移動電話
ＳＴ  レジシステム
ＷＭ  無線モジュール
【図１】
2005530435.tif 000003
【図２】
2005530435.tif 000004
【国際調査報告】
2005530435.tif 000005
2005530435.tif 000006
2005530435.tif 000007
2005530435.tif 000008
2005530435.tif 000009
2005530435.tif 000010